【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
（ａ）トリレンジイソシアネート、４，４'−ジフェニルメタンジイソシアネート、またはフェニレンジイソシアネートである芳香族イソシアネートと、
（ｂ）メルカプト基含有化合物と、
（ｃ）トリフェニルホスフィン１×１０２ｐｐｍ以上と、
を含むことを特徴とする光学材料用重合性組成物。
【請求項２】
メルカプト基含有化合物（ｂ）は、ポリチオール化合物（ｂ１）および／または（ポリ）ヒドロキシ（ポリ）メルカプト化合物（ｂ２）であることを特徴とする請求項１に記載の光学材料用重合性組成物。
【請求項３】
ポリチオール化合物（ｂ１）は、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ペンタエリスリトールテトラキスメルカプトアセテート、ペンタエリスリトールテトラキスメルカプトプロピオネート、２，５−ビス（メルカプトメチル）−１，４−ジチアン、ビス（メルカプトエチル）スルフィド、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、１，１，２，２−テトラキス（メルカプトメチルチオ）エタンおよび３−メルカプトメチル−１,５−ジメルカプト−２,４−ジチアペンタンよりなる群から１種以上選択されることを特徴とする請求項２に記載の光学材料用重合性組成物。
【請求項４】
（ポリ）ヒドロキシ（ポリ）メルカプト化合物（ｂ２）は、２−メルカプトエタノール、３−メルカプト−１，２−プロパンジチオール、１，３−ジメルカプト−２−プロパノール、２，３−ジメルカプト−１−プロパノール、１，２−ジメルカプト−１，３−ブタンジオール、ペンタエリスリトールモノ（３−メルカプトプロピオネート）、ペンタエリスリトールビス（３−メルカプトプロピオネート）、ペンタエリスリトールトリス（３−メルカプトプロピオネート）、ペンタエリスリトールトリス（チオグリコレート）およびグルセリンビス（メルカプトアセテート）、４−メルカプトフェノールおよび２，４−ジメルカプトフェノールよりなる群から１種以上選択されることを特徴とする請求項２または３に記載の光学材料用重合性組成物。
【請求項５】
トリフェニルホスフィン（ｃ）を１×１０２ｐｐｍ以上、５×１０４ｐｐｍ以下の量で含んでなる請求項１乃至４のいずれかに記載の光学材料用重合性組成物。
【請求項６】
請求項１乃至５のいずれかに記載の光学材料用重合性組成物を重合して得られる光学材料用樹脂。
【請求項７】
請求項６に記載の光学材料用樹脂を含む光学用透明部材。
【請求項８】
請求項７に記載の光学用透明部材からなる光学材料。
【請求項９】
請求項１乃至５のいずれかに記載の光学材料用重合性組成物を硬化する光学材料の製造方法。
【請求項１０】
請求項９に記載の製造方法において、注型重合により前記光学材料用重合性組成物を成形することを特徴とする光学材料の製造方法。
【手続補正２】
【補正対象書類名】明細書
【補正対象項目名】０００６
【補正方法】変更
【補正の内容】
【０００６】
すなわち、本発明は、以下に記載されるものである。
（１）（ａ）トリレンジイソシアネート、４，４'−ジフェニルメタンジイソシアネート、またはフェニレンジイソシアネートである芳香族イソシアネートと、
（ｂ）メルカプト基含有化合物と、
（ｃ）トリフェニルホスフィン１×１０２ｐｐｍ以上と、
を含むことを特徴とする光学材料用重合性組成物。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
（２）メルカプト基含有化合物（ｂ）は、ポリチオール化合物（ｂ１）および／または（ポリ）ヒドロキシ（ポリ）メルカプト化合物（ｂ２）であることを特徴とする（１）に記載の光学材料用重合性組成物。
【手続補正５】
【補正対象書類名】明細書
【補正対象項目名】０００９
【補正方法】変更
【補正の内容】
【０００９】
（３）ポリチオール化合物（ｂ１）は、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ペンタエリスリトールテトラキスメルカプトアセテート、ペンタエリスリトールテトラキスメルカプトプロピオネート、２，５−ビス（メルカプトメチル）−１，４−ジチアン、ビス（メルカプトエチル）スルフィド、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、１，１，２，２−テトラキス（メルカプトメチルチオ）エタンおよび３−メルカプトメチル−１,５−ジメルカプト−２,４−ジチアペンタンよりなる群から１種以上選択されることを特徴とする（２）に記載の光学材料用重合性組成物。
【手続補正６】
【補正対象書類名】明細書
【補正対象項目名】００１０
【補正方法】変更
【補正の内容】
【００１０】
（４）（ポリ）ヒドロキシ（ポリ）メルカプト化合物（ｂ２）は、２−メルカプトエタノール、３−メルカプト−１，２−プロパンジチオール、１，３−ジメルカプト−２−プロパノール、２，３−ジメルカプト−１−プロパノール、１，２−ジメルカプト−１，３−ブタンジオール、ペンタエリスリトールモノ（３−メルカプトプロピオネート）、ペンタエリスリトールビス（３−メルカプトプロピオネート）、ペンタエリスリトールトリス（３−メルカプトプロピオネート）、ペンタエリスリトールトリス（チオグリコレート）およびグルセリンビス（メルカプトアセテート）、４−メルカプトフェノールおよび２，４−ジメルカプトフェノールよりなる群から１種以上選択されることを特徴とする（２）または（３）に記載の光学材料用重合性組成物。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
（５）トリフェニルホスフィン（ｃ）を１×１０２ｐｐｍ以上、５×１０４ｐｐｍ以下の量で含んでなる（１）乃至（４）のいずれかに記載の光学材料用重合性組成物。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
（６）（１）乃至（５）のいずれかに記載の光学材料用重合性組成物を重合して得られる光学材料用樹脂。
【手続補正１２】
【補正対象書類名】明細書
【補正対象項目名】００１６
【補正方法】変更
【補正の内容】
【００１６】
（７）（６）に記載の光学材料用樹脂を含む光学用透明部材。
【手続補正１３】
【補正対象書類名】明細書
【補正対象項目名】００１７
【補正方法】変更
【補正の内容】
【００１７】
（８）（７）に記載の光学用透明部材からなる光学材料。
【手続補正１４】
【補正対象書類名】明細書
【補正対象項目名】００１８
【補正方法】変更
【補正の内容】
【００１８】
（９）（１）乃至（５）のいずれかに記載の光学材料用重合性組成物を硬化する光学材料の製造方法。
【手続補正１５】
【補正対象書類名】明細書
【補正対象項目名】００１９
【補正方法】変更
【補正の内容】
【００１９】
（１０）（９）に記載の製造方法において、注型重合により前記光学材料用重合性組成物を成形することを特徴とする光学材料の製造方法。